(57)【要約】      （修正有）【課題】作業効率が向上する印刷装置を提供する。【解決手段】媒体に印刷を行う印刷部と、検出位置において対象物を検出可能な検出部と、検出部による対象物の検出の有無に応じて印刷部の動作を制御する制御部と、媒体を支持可能であり、検出位置を移動経路に含むように移動可能な支持部と、少なくとも一部が検出位置に位置するクローズ位置と、検出位置に位置しないオープン位置と、に変位可能なカバー部１３と、を備え、制御部は、検出部が支持部及びカバー部１３の少なくとも一方を検出したときに印刷部を動作可能にし、検出部が支持部及びカバー部１３の何れも検出しないときに印刷部の動作を停止させる。【選択図】図６
2017124538.tif 000002
【特許請求の範囲】
【請求項１】
媒体に印刷を行う印刷部と、
検出位置において対象物を検出可能な検出部と、
前記検出部による対象物の検出の有無に応じて前記印刷部の動作を制御する制御部と、
前記媒体を支持可能であり、前記検出位置を移動経路に含むように移動可能な支持部と
、
少なくとも一部が前記検出位置に位置するクローズ位置と、前記検出位置に位置しない
オープン位置と、に変位可能なカバー部と、を備え、
前記制御部は、前記検出部が前記支持部及び前記カバー部の少なくとも一方を検出した
ときに前記印刷部を動作可能にし、前記検出部が前記支持部及び前記カバー部の何れも検
出しないときに前記印刷部の動作を停止することを特徴とする印刷装置。
【請求項２】
請求項１に記載の印刷装置において、
前記検出位置は、該検出位置に位置する前記支持部の少なくとも一部が前記カバー部に
覆われる位置であることを特徴とする印刷装置。
【請求項３】
請求項１又は２に記載の印刷装置において、
前記制御部は、前記支持部が前記検出位置に位置するときに前記印刷部のメンテナンス
動作を実行可能であることを特徴とする印刷装置。
【請求項４】
請求項１から３のいずれか１項に記載の印刷装置において、
前記カバー部は、回動することによって、前記クローズ位置と前記オープン位置とに変
位可能であることを特徴とする印刷装置。
【請求項５】
請求項１から３のいずれか１項に記載の印刷装置において、
前記カバー部は、スライドすることによって、前記クローズ位置と前記オープン位置と
に変位可能であることを特徴とする印刷装置。
【請求項６】
請求項１から３のいずれか１項に記載の印刷装置において、
前記カバー部は、該印刷装置の筐体部と共に変位することによって、前記クローズ位置
と前記オープン位置とに変位可能であることを特徴とする印刷装置。
【請求項７】
請求項１から３のいずれか１項に記載の印刷装置において、
前記カバー部は、着脱されることによって、前記クローズ位置と前記オープン位置とに
変位可能であることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置のうち、対象物の検
出部を備え、該対象物の検出の有無に応じて印刷部の動作を制御することが可能な印刷装
置がある。  
例えば、特許文献１には、対象物としての本体カバーを開く（検出部により検出されな
くなる）と、印刷部の駆動部であるモーターユニットに電力が供給されない（印刷部の動
作が停止する）ように制御する印刷装置（画像形成装置）が開示されている。
【先行技術文献】
【特許文献】
【０００３】
【特許文献１】特開２０１５−２８６１８号公報
【発明の概要】
【発明が解決しようとする課題】
【０００４】
しかしながら、特許文献１で開示されるような構成にすると、本体カバーを開く（検出
部により対象物が検出されなくなる）と印刷部の動作が停止する。このため、印刷部の動
作を優先させると、印刷部の動作が終了するまで本体カバーの内部に作業者がアクセスす
ることができなくなり、作業効率が低下する場合があった。
【０００５】
そこで、本発明の目的は、印刷装置の作業効率を向上することを目的にする。
【課題を解決するための手段】
【０００６】
上記課題を解決するための本発明の第１の態様の印刷装置は、媒体に印刷を行う印刷部
と、検出位置において対象物を検出可能な検出部と、前記検出部による対象物の検出の有
無に応じて前記印刷部の動作を制御する制御部と、前記媒体を支持可能であり、前記検出
位置を移動経路に含むように移動可能な支持部と、少なくとも一部が前記検出位置に位置
するクローズ位置と、前記検出位置に位置しないオープン位置と、に変位可能なカバー部
と、を備え、前記制御部は、前記検出部が前記支持部及び前記カバー部の少なくとも一方
を検出したときに前記印刷部を動作可能にし、前記検出部が前記支持部及び前記カバー部
の何れも検出しないときに前記印刷部の動作を停止することを特徴とする。
【０００７】
本態様によれば、媒体を支持可能であり検出位置を移動経路に含むように移動可能な支
持部と、少なくとも一部が前記検出位置に位置するクローズ位置と前記検出位置に位置し
ないオープン位置とに変位可能なカバー部と、を備えている。このような支持部とカバー
部とを備える構成においては、支持部とカバー部との少なくとも一方が検出部に検出され
ていれば、カバー部の内部に作業者がアクセスしても不具合が生じない場合がある。そし
て、本態様によれば、検出部が支持部及びカバー部の少なくとも一方を検出したときに印
刷部を動作可能にし、検出部が支持部及びカバー部の何れも検出しないときに印刷部の動
作を停止する。このため、印刷部を動作させつつ、本体カバーの内部に作業者がアクセス
することができ、作業効率を向上することができる。
【０００８】
本発明の第２の態様の印刷装置は、前記第１の態様において、前記検出位置は、該検出
位置に位置する前記支持部の少なくとも一部が前記カバー部に覆われる位置であることを
特徴とする。
【０００９】
本態様によれば、検出位置は、該検出位置に位置する支持部の少なくとも一部がカバー
部に覆われる位置である。すなわち、支持部の移動経路を短くすることが可能になるので
、印刷装置が大型化することを抑制することができる。また、支持部が検出位置に位置す
るときにカバー部をオープン位置に変位させることで、印刷部を動作させつつ、支持部に
対して媒体を着脱しやすくすることができる。
【００１０】
本発明の第３の態様の印刷装置は、前記第１又は第２の態様において、前記制御部は、
前記支持部が前記検出位置に位置するときに前記印刷部のメンテナンス動作を実行可能で
あることを特徴とする。
【００１１】
本態様によれば、支持部が検出位置に位置するときに印刷部のメンテナンス動作を実行
可能である。このため、メンテナンス動作を実行させつつ、カバー部の内部に作業者がア
クセスすることが可能になり、作業効率を向上することができる。  
なお、「メンテナンス動作」とは、例えば、インクをノズルから吐出可能な印刷部を備
える構成における、ノズル形成部のワイピング動作、ノズルからのフラッシング（インク
吐出）動作、ノズルのインクの吸引動作などが挙げられる。
【００１２】
本発明の第４の態様の印刷装置は、前記第１から第３のいずれか１つ態様において、前
記カバー部は、回動することによって、前記クローズ位置と前記オープン位置とに変位可
能であることを特徴とする。
【００１３】
本態様によれば、カバー部は、回動することによって、クローズ位置とオープン位置と
に変位可能である。このような構成とすることで、カバー部を好適に変位させることがで
きる。
【００１４】
本発明の第５の態様の印刷装置は、前記第１から第３のいずれか１つ態様において、前
記カバー部は、スライドすることによって、前記クローズ位置と前記オープン位置とに変
位可能であることを特徴とする。
【００１５】
本態様によれば、カバー部は、スライドすることによって、クローズ位置とオープン位
置とに変位可能である。このため、例えばカバー部をスライド移動させることでオープン
位置においてカバー部を印刷装置の筐体内部に進入させることができ、カバー部が印刷装
置の操作を行う際の邪魔になるのを抑制できる。
【００１６】
本発明の第６の態様の印刷装置は、前記第１から第３のいずれか１つ態様において、前
記カバー部は、該印刷装置の筐体部と共に変位することによって、前記クローズ位置と前
記オープン位置とに変位可能であることを特徴とする。
【００１７】
本態様によれば、カバー部は、筐体部と共に変位することによって、クローズ位置とオ
ープン位置とに変位可能である。このため、カバー部と筐体部との変位を同時に実行でき
、カバー部及び筐体部の開閉作業の簡略化、これらの開閉機構の簡略化が可能になる。
【００１８】
本発明の第７の態様の印刷装置は、前記第１から第３のいずれか１つ態様において、前
記カバー部は、着脱されることによって、前記クローズ位置と前記オープン位置とに変位
可能であることを特徴とする。
【００１９】
本態様によれば、カバー部は、着脱されることによって、クローズ位置とオープン位置
とに変位可能である。このような構成とすることで、カバー部を好適に変位させることが
できる。
【図面の簡単な説明】
【００２０】
【図１】本発明の実施例１に係る印刷装置の概略斜視図。
【図２】本発明の実施例１に係る印刷装置の概略斜視図。
【図３】本発明の実施例１に係る印刷装置の概略正面図。
【図４】本発明の実施例１に係る印刷装置の概略側面図。
【図５】本発明の実施例１に係る印刷装置のブロック図。
【図６】本発明の実施例１に係る印刷装置の概略斜視断面図。
【図７】本発明の実施例１に係る印刷装置の概略斜視図。
【図８】本発明の実施例１に係る印刷装置の要部の概略斜視図。
【図９】本発明の実施例１に係る印刷装置の要部の概略斜視透視図。
【図１０】本発明の実施例１に係る印刷装置の要部の概略斜視図。
【図１１】本発明の実施例１に係る印刷装置の要部の概略平面断面図。
【図１２】本発明の実施例２に係る印刷装置の概略斜視図。
【図１３】本発明の実施例３に係る印刷装置の概略斜視図。
【発明を実施するための形態】
【００２１】
［実施例１］（図１から図９）  
以下に、本発明の実施例１に係る印刷装置１について、添付図面を参照して詳細に説明
する。  
本実施例の印刷装置１は、媒体の支持部としてのトレイ４の移動経路の少なくとも一部
を覆うように設けられるカバー部１３（図６参照）を備えることを１つの特徴としている
。しかしながら、最初に、本実施例の印刷装置１の概要について説明するため、カバー部
１３を省略した状態で説明する。なお、カバー部１３は、筐体部３２の内側に異物が侵入
することを抑制するための構成部材である。  
図１及び図２は本実施例に係る印刷装置１の概略斜視図であり、このうち図１は本実施
例の印刷装置１の媒体の支持部としてのトレイ４が印刷開始位置にある状態、図２はトレ
イ４が媒体のセット位置にある状態を表している。  
また、図３は本実施例の印刷装置１の概略正面図であり、図４は本実施例の印刷装置１
の概略側面図である。
【００２２】
本実施例の印刷装置１は、媒体をトレイ４の支持面８で支持した状態で移動方向Ａに移
動する媒体支持ユニット２を備えている。媒体支持ユニット２は、媒体の支持部であるト
レイ４を有している。印刷装置１は、トレイ４に支持された媒体を移動方向Ａに搬送する
媒体搬送部３を備えている。移動方向Ａは、方向Ａ１と、方向Ａ１と反対方向の方向Ａ２
と、を含む方向である。また、トレイ４はステージ５に載置されている。トレイ４はステ
ージ５と共に、回転レバー９を回転させることにより、高さ方向Ｃに移動する。なお、図
４で表されるように、回転レバー９は、媒体支持ユニット２のアーム部に設けられている
。また、媒体としては、テキスタイル（織物、布等）、紙、塩化ビニル樹脂など、種々の
素材のものを用いることができる。
【００２３】
また、印刷装置１の本体内部（筐体部３２の内側）にはインクを吐出して媒体に印刷す
ることが可能な印刷ヘッド７が備えられている。そして、本実施例の印刷装置１は、印刷
ヘッド７が設けられたキャリッジ６を移動方向Ａと交差する走査方向Ｂに往復移動させる
ことで、印刷ヘッド７を走査方向Ｂに往復移動させながら、印刷ヘッド７からトレイ４に
支持された媒体にインクを吐出させて所望の画像を形成する。本実施例において、印刷ヘ
ッド７を備えたキャリッジ６は、走査方向Ｂに移動可能であり、印刷領域で媒体に画像を
印刷可能な印刷部に相当する。  
なお、本実施例の印刷装置１は、図１及び図２中の手前側（左下方向）がトレイ４への
媒体のセット位置（図２に対応）である。そして、図１及び図２中の奥側（右上方向）の
印刷開始位置（図１に対応）まで移動方向Ａのうちの方向Ａ１に媒体をセットしたトレイ
４を移動した後、移動方向Ａのうちの方向Ａ２にトレイ４を移動しながら印刷を行う。
【００２４】
また、本実施例の筐体部３２は、開閉部３３を有し、キャリッジ６にセット可能な不図
示のインクカートリッジを交換する際などにおいて開閉部３３を開け閉めできる構成にな
っている。なお、図１から図４は何れも開閉部３３が閉じた状態を表しており、開閉部３
３は、ユーザーが手動で、走査方向Ｂに延びる回動軸３４を基準に回動方向Ｄに回動する
構成になっている。
【００２５】
次に、本実施例の印刷装置１における電気的な構成について説明する。  
図５は、本実施例の印刷装置１のブロック図である。  
制御部１９には、印刷装置１の全体の制御を司るＣＰＵ２０が設けられている。ＣＰＵ
２０は、システムバス２１を介して、ＣＰＵ２０が実行する各種制御プログラム等を格納
したＲＯＭ２２と、データを一時的に格納可能なＲＡＭ２３と、に接続されている。
【００２６】
また、ＣＰＵ２０は、システムバス２１を介して、印刷ヘッド７を駆動するためのヘッ
ド駆動部２４と接続されている。  
また、ＣＰＵ２０は、システムバス２１を介して、モーター駆動部２５と接続されてい
る。そして、モーター駆動部２５は、印刷ヘッド７が設けられたキャリッジ６を移動させ
るためのキャリッジモーター２６、媒体を搬送する（すなわち、媒体支持ユニット２を移
動する）ために媒体搬送部３に設けられた搬送モーター２７、と接続されている。  
さらに、ＣＰＵ２０は、システムバス２１を介して、入出力部２８と接続されている。
そして、入出力部２８は、開閉部３３が開状態（オープン位置にある）か閉状態（クロー
ズ位置にある）かを検出可能なセンサーＳ１、後述するセンサーＳ２、印刷データ等のデ
ータ及び信号の送受信を行うためのＰＣ２９、と接続されている。  
制御部１９は、開閉部３３が開状態であることを検出すると、キャリッジ６が走査方向
Ｂに移動している場合（印刷中など）、キャリッジ６の移動を停止する。
【００２７】
次に、本実施例の要部であるカバー部１３について詳細に説明する。  
ここで、図６は本実施例の印刷装置１の概略斜視断面図である。このうち、図６Ａは媒
体支持ユニット２が印刷中の位置にある状態を表しており、図６Ｂは媒体支持ユニット２
がセット位置にある状態であってカバー部１３を閉じた状態を表しており、図６Ｃは媒体
支持ユニット２がセット位置にある状態であってカバー部１３を開いた状態を表している
。  
また、図７は本実施例の印刷装置１の概略斜視図であり、図６Ｃに対応する状態を表し
ている。
【００２８】
本実施例の印刷装置１は、図６及び図７で表されるように、筐体部３２に対してセット
位置側に突出し、トレイ４の移動経路の少なくとも一部を覆うように設けられるカバー部
１３を備えている。このため、図６Ａで表されるように、印刷中においては、該カバー部
１３によって、トレイ４の移動経路における筐体部３２の開口部３５から、該筐体部３２
の内側に異物が侵入することを抑制することができる構成になっている。一方、トレイ４
に対して媒体をセットする際においては、図６Ｂで表される状態から図６Ｃで表される状
態にカバー部を変位させる（クローズ位置からオープン位置に変位させる）ことで、作業
効率を低下させることを抑制できる構成になっている。なお、トレイ４がセット位置にあ
る場合（図６Ｂ、図６Ｃ及び図７で表される状態の場合）、図６Ｃ及び図７で表されるよ
うにカバー部１３がオープン位置にあっても、媒体支持ユニット２が障害物になって、筐
体部３２の開口部３５から該筐体部３２の内側に異物が侵入することは抑制される。
【００２９】
ここで、本実施例のカバー部１３は、カバー部１３が走査方向Ｂに沿って延びる回動軸
３１を介して筐体部３２の開閉部３３に接続されている。そして、回動軸３１を基準にカ
バー部１３が回動方向Ｅに回動することにより、カバー部１３は高さ方向Ｃに沿ってクロ
ーズ位置とオープン位置とに変位可能な構成になっている。ただし、このような構成に限
定されない。
【００３０】
次に、本実施例の制御部１９による、カバー部１３の開閉に伴うキャリッジ６の駆動制
御について説明する。  
ここで、図８は、本実施例の印刷装置１の要部であるカバー部１３周辺の概略斜視図で
ある。また、図９は、本実施例の印刷装置１の要部であるカバー部１３周辺の概略斜視透
視図である。また、図１０は、本実施例の印刷装置１の要部であるカバー部１３周辺の概
略斜視図である。そして、図１１は、本実施例の印刷装置１の要部であるカバー部１３周
辺の概略平面断面図である。
【００３１】
本実施例の印刷装置１の媒体支持ユニット２は、図８、図９及び図１１で表されるよう
に、トレイ４に支持された媒体におけるトレイ４からはみ出した部分を受ける媒体受け部
３０が設けられ、媒体受け部３０の走査方向Ｂにおける端部には媒体搬送部３側に向けて
突出した突出部１４が設けられている。そして、図８から図１０で表されるように、媒体
搬送部３には、突出部１４に対応する位置（突出部１４が嵌る位置）に、移動方向Ａに延
びる溝部１１が設けられている。
【００３２】
ここで、図８、図９及び図１１は、媒体支持ユニット２（トレイ４）がセット位置にあ
る状態を表しているが、該状態において突出部１４が位置する溝部１１の端部（方向Ａ２
における先端部）には穴部１６が設けられている。  
また、図９から図１１で表されるように、本実施例のカバー部１３の縁部１５には、該
カバー部１３を閉じた際に穴部１６に嵌る突出部１７が形成されている。  
そして、図１０及び図１１で表されるように、穴部１６には押圧されることでオン状態
となり押圧が解除されることでオフ状態となるセンサーＳ２が設けられている。
【００３３】
そして、トレイ４がセット位置にある状態ではセンサーＳ２は突出部１４により押圧さ
れ、カバー部１３が閉じられている状態（クローズ位置にある状態）ではセンサーＳ２は
突出部１７により押圧される。  
本実施例の印刷装置１は、このような構成により、トレイ４がセット位置にあり状態カ
バー部１３がオープン位置にある状態（図８に対応）、トレイ４がセット位置にあり状態
カバー部１３がクローズ位置にある状態（図９に対応）、トレイ４がセット位置以外にあ
り状態カバー部１３がクローズ位置にある状態（図１０に対応）、のときには、何れも、
センサーＳ２がオン状態となるよう構成されている。
【００３４】
制御部１９は、センサーＳ２がオフ状態になると、キャリッジ６が駆動していてもその
駆動を停止させる。すなわち、印刷時など、キャリッジ６の駆動信号を制御部１９が受信
していても、トレイ４がセット位置になくカバー部１３がオープン位置にある場合は、キ
ャリッジ６の駆動を停止させる。逆に、キャリッジ６の駆動信号を制御部１９が受信して
いる場合、トレイ４がセット位置にあるかカバー部１３がクローズ位置にあるかの少なく
とも一方であれば、制御部１９はキャリッジ６の駆動を停止させない。これは、上記のよ
うに、トレイ４がセット位置にあれば、トレイ４により（すなわち、媒体支持ユニット２
が障害物になって）、筐体部３２の開口部３５（図１参照）から該筐体部３２の内側に異
物が侵入することを抑制することができるためである。また、言うまでもなく、カバー部
１３がクローズ位置にあれば、カバー部１３により、筐体部３２の開口部３５から該筐体
部３２の内側に異物が侵入することを抑制することができるためである。
【００３５】
上記のように、本実施例の印刷装置１は、媒体に印刷するキャリッジ６と、穴部１６の
位置に対応する検出位置において対象物を検出可能な検出部としてのセンサーＳ２と、セ
ンサーＳ２による対象物の検出の有無に応じてキャリッジ６の動作を制御する制御部１９
と、媒体を支持可能であり、センサーＳ２の検出位置を移動経路に含むように移動可能な
トレイ４と、少なくとも一部がセンサーＳ２の検出位置に位置するクローズ位置と、セン
サーＳ２の検出位置に位置しないオープン位置と、に変位可能なカバー部１３と、を備え
ている。具体的には、カバー部１３は、クローズ位置に位置する時、突出部１７がセンサ
ーＳ２の検出位置に位置している。また、カバー部１３は、オープン位置に位置する時、
いずれの部分もセンサーＳ２の検出位置に位置しない構成となっている。  
そして、制御部１９は、センサーＳ２がトレイ４及びカバー部１３の少なくとも一方を
検出したときにキャリッジ６を動作可能にし、センサーＳ２がトレイ４及びカバー部１３
の何れも検出しないときにキャリッジ６の動作を停止する。  
ここで、本実施例の印刷装置１の構成においては、上記のように、トレイ４とカバー部
１３との少なくとも一方がセンサーＳ２に検出されていれば、カバー部１３の内部に作業
者がアクセスしても不具合が生じない。そして、本実施例の印刷装置１は、センサーＳ２
がトレイ４及びカバー部１３の少なくとも一方を検出したときにキャリッジ６を動作可能
にし、センサーＳ２がトレイ４及びカバー部１３の何れも検出しないときにキャリッジ６
の動作を停止する。このため、キャリッジ６を動作させつつ、カバー部１３の内部に作業
者がアクセスすることができる構成になっており、作業効率を向上することができる構成
になっている。  
なお、本実施例のセンサーＳ２は、押圧式のセンサーであるが、このような構成に限定
されず、例えば、光学式のセンサーなどを使用してもよい。
【００３６】
また、図９等で表されるように、本実施例の印刷装置１は、センサーＳ２の検出位置は
、該検出位置に位置するトレイ４の少なくとも一部がカバー部１３に覆われる位置である
。すなわち、トレイ４の移動経路を短くし、印刷装置１が大型化することを抑制している
。また、トレイ４が該検出位置に位置するときにカバー部１３をオープン位置に変位させ
ることで、キャリッジ６を動作させつつ、トレイ４に対して媒体を着脱しやすくすること
ができる構成になっている。
【００３７】
ここで、本実施例の制御部１９は、トレイ４がセンサーＳ２の検出位置に位置するとき
にキャリッジ６のメンテナンス動作を実行可能である。このため、メンテナンス動作を実
行させつつ、カバー部１３の内部に作業者がアクセスすることを可能にしており、作業効
率を向上させている。  
なお、「メンテナンス動作」とは、本実施例の印刷装置１においては、キャリッジ６に
設けられた印刷ヘッド７のノズル形成部のワイピング動作、ノズルからのフラッシング（
インク吐出）動作、ノズルのインクの吸引動作などである。ただし、このような動作に限
定されない。
【００３８】
また、上記のように、本実施例のカバー部１３は、回動することによって、クローズ位
置とオープン位置とに変位可能な構成である。このような構成とすることで、カバー部１
３を好適に変位させることができるようにしている。  
なお、本実施例のカバー部１３は、ユーザーが手動により回動することが可能な構成で
あるが、カバー部１３を駆動するモーターなどを設けて、制御部１９が自動でカバー部１
３を回動することが可能な構成としてもよい。
【００３９】
［実施例２］（図１２）  
次に、本発明の実施例２に係る印刷装置１について説明する。  
図１２は、本実施例の印刷装置１の概略斜視図であり、実施例１の印刷装置１における
図７に対応する図である。  
ここで、本実施例の印刷装置１は、カバー部の構成以外の構成は実施例１の印刷装置１
と同様の構成である。なお、上記実施例１の印刷装置１における構成部材と同じ構成部材
は同じ符号で表している。このため、その詳細な説明は省略する。
【００４０】
実施例１のカバー部１３は、筐体部３２に対して回動することによってクローズ位置と
オープン位置とに変位可能な構成であった。一方、本実施例のカバー部１０は、筐体部３
２に対して移動方向Ａに沿ってスライドすることによってクローズ位置（図１２Ａ参照）
とオープン位置（図１２Ｂ参照）とに変位可能な構成である。
【００４１】
図１２で表されるように、本実施例の印刷装置１のカバー部１０は、移動方向Ａに沿っ
てスライドすることによって筐体部３２の開口部３５に対して進退し、クローズ位置（図
１２Ａ参照）とオープン位置（図１２Ｂ参照）とに変位可能な構成である。このような構
成により、カバー部１０をスライド移動させることでオープン位置においてカバー部１０
を筐体内部に進入させることができ、カバー部１０が印刷装置１の操作を行う際の邪魔に
なるのを抑制している。
【００４２】
なお、本実施例のカバー部１０は、クローズ位置とオープン位置とにユーザーが手動で
変位可能な構成である。しかしながら、このような構成に限定されず、制御部１９の制御
によりモーターなどで駆動させて、印刷動作に対応して自動で、クローズ位置（図１２Ａ
参照）とオープン位置（図１２Ｂ参照）とに変位可能（スライド移動可能）な構成として
もよい。
【００４３】
［実施例３］（図１３）  
次に、本発明の実施例３に係る印刷装置１について説明する。  
図１３は、本実施例の印刷装置１の概略斜視図であり、実施例１の印刷装置１における
図７に対応する図である。  
ここで、本実施例の印刷装置１は、カバー部の構成以外の構成は実施例１の印刷装置１
と同様の構成である。なお、上記実施例１及び２の印刷装置１における構成部材と同じ構
成部材は同じ符号で表している。このため、その詳細な説明は省略する。
【００４４】
実施例１のカバー部１３は、筐体部３２に対して回動することによってクローズ位置と
オープン位置とに変位可能な構成であった。一方、本実施例のカバー部１２は、筐体部３
２の一部を構成する開閉部３３に固定されている。このため、本実施例のカバー部１２は
、開閉部３３を回動方向Ｄに回動させることに伴いクローズ位置とオープン位置とに変位
する。
【００４５】
すなわち、本実施例のカバー部１２は、筐体部３２と共に変位することによって、クロ
ーズ位置とオープン位置とに変位可能である。このため、カバー部１２と筐体部３２との
変位を同時に実行でき、カバー部１２及び筐体部３２（開閉部３３）の開閉作業の簡略化
、これらの開閉機構の簡略化（カバー部移動モーター３０などの構成部材の省略など）を
可能にしている。  
なお、図１３において、カバー部１２は、筐体部３２と共に変位することによって、オ
ープン位置に変位した状態を表している。
【００４６】
なお、本発明は上記実施例に限定されることなく、特許請求の範囲に記載した発明の範
囲内で種々の変形が可能であり、それらも本発明の範囲内に含まれることは言うまでもな
い。  
例えば、カバー部は、印刷装置から着脱されることによって、クローズ位置とオープン
位置とに変位可能であってもよい。このような構成とすることでも、カバー部を好適に変
位させることができる。
【符号の説明】
【００４７】
１…印刷装置、２…媒体支持ユニット、３…媒体搬送部、４…トレイ（支持部）、
５…ステージ、６…キャリッジ（印刷部）、７…印刷ヘッド、８…支持面、
９…回転レバー、１０…カバー部、１１…溝部、１２…カバー部、
１３…カバー部、１４…突出部、１５…カバー部の縁部、１６…穴部、１７…突出部、
１９…制御部、２０…ＣＰＵ、２１…システムバス、２２…ＲＯＭ、２３…ＲＡＭ、
２４…ヘッド駆動部、２５…モーター駆動部、２６…キャリッジモーター、
２７…搬送モーター、２８…入出力部、２９…ＰＣ、３０…媒体受け部、
３１…回動軸、３２…筐体部、３３…開閉部、３４…回動軸、３５…開口部、
Ｓ１…センサー、Ｓ２…センサー
【図１】
2017124538.tif 000003
【図２】
2017124538.tif 000004
【図３】
2017124538.tif 000005
【図４】
2017124538.tif 000006
【図５】
2017124538.tif 000007
【図６】
2017124538.tif 000008
【図７】
2017124538.tif 000009
【図８】
2017124538.tif 000010
【図９】
2017124538.tif 000011
【図１０】
2017124538.tif 000012
【図１１】
2017124538.tif 000013
【図１２】
2017124538.tif 000014
【図１３】
2017124538.tif 000015